(57)【要約】【課題】  フェージング状態の良いセグメントを用いて高品質なデータの伝送を実現することができるが、１セグメント当り１つのデータしか伝送することができず、データの伝送効率を高めることができない課題があった。【解決手段】  複数のセグメントの伝搬状態を監視して、複数のデータ２３の伝送に使用するセグメントを選択し、その選択したセグメントを使用して、マルチキャリア変換部２６により生成されたマルチキャリア信号を送信する。【選択図】        図１
2006014372.tif 000002
【特許請求の範囲】
【請求項１】
受信機との間で所定数のサブキャリアからなるサブキャリア群を複数用いて無線通信が可能な送信機における無線通信方法であって、
当該送信機と上記受信機との間の各サブキャリア群の伝搬状態に応じて、上記受信機へのデータ送信に使用するサブキャリア群を選択するステップと、
上記伝搬状態に応じて、上記選択したサブキャリア群で送信するデータ量を決定するステップ
を備えることを特徴とする無線通信方法。
【請求項２】
受信機との間で所定数のサブキャリアからなるサブキャリア群を複数用いて無線通信が可能な送信機における無線通信方法であって、
上記サブキャリア群の伝搬状態を測定するための測定用信号を送信するステップと、
上記受信機が、受信した上記測定用信号に基づいて当該送信機に通知した所定品質以上の伝搬状態であるサブキャリア群の中から、上記受信機へのデータ送信に使用するサブキャリア群を選択するステップと、
上記選択したサブキャリア群によって上記受信機にデータを送信するステップ
を備えることを特徴とする無線通信方法。
【請求項３】
請求項２に記載の無線通信方法において、
上記選択したサブキャリア群の伝搬状態に応じて、上記選択したサブキャリア群で送信するデータ量を決定するステップ
を備えることを特徴とする無線通信方法。
【請求項４】
受信機との間で所定数のサブキャリアからなるサブキャリア群を複数用いて無線通信が可能な送信機であって、
当該送信機と上記受信機との間の各サブキャリア群の伝搬状態に応じて、上記受信機へのデータ送信に使用するサブキャリア群を選択する手段と、
上記伝搬状態に応じて、上記選択したサブキャリア群で送信するデータ量を決定する手段
を備えることを特徴とする送信機。
【請求項５】
受信機との間で所定数のサブキャリアからなるサブキャリア群を複数用いて無線通信が可能な送信機であって、
上記サブキャリア群の伝搬状態を測定するための測定用信号を送信する手段と、
上記受信機が、受信した上記測定用信号に基づいて当該送信機に通知した所定品質以上の伝搬状態であるサブキャリア群の中から、上記受信機へのデータ送信に使用するサブキャリア群を選択する手段と、
上記選択したサブキャリア群によって上記受信機にデータを送信する手段
を備えることを特徴とする送信機。
【請求項６】
請求項５に記載の送信機において、
上記選択したサブキャリア群の伝搬状態に応じて、上記選択したサブキャリア群で送信するデータ量を決定する手段
を備えることを特徴とする送信機。
【発明の詳細な説明】
【技術分野】
【０００１】
この発明は、複数のサブキャリアを用いて信号を伝送する無線伝送装置に関するものである。
【背景技術】
【０００２】
高速デジタル移動通信において、周波数選択性フェージングを改善するための伝送方式としてマルチキャリアＣＤＭＡ伝送方式が知られている。マルチキャリアＣＤＭＡ伝送方式では、狭帯域のサブキャリアを並列に配置し、送信データを複数個複製して、複数のサブキャリアを用いて送信する。このように、狭帯域なサブキャリアを用意することにより、選択性フェージング環境においても、耐フェージング性の強い伝送方式となることが知られている。
【０００３】
図１１はマルチキャリアＣＤＭＡ方式を使用する従来の無線伝送装置を示す構成図であり、図において、１は送信対象のデータ、２はデータ１を複製して、複数の送信データ（以下、並列データという）を出力する複製部、３は複製部２から出力された並列データに拡散符号を乗算する符号乗算部、４は符号乗算部３により拡散符号が乗算された並列データに伝送キャリアを付加してマルチキャリア信号を生成するマルチキャリア変換部、５はマルチキャリア変換部４により生成されたマルチキャリア信号にガードインターバルを挿入し、そのマルチキャリア信号を周波数変換して送信アンテナ６に出力するガードインターバル挿入部、６は送信アンテナである。
【０００４】
７は受信アンテナ、８は受信アンテナ７により受信されたマルチキャリア信号の周波数を変換して、そのマルチキャリア信号からガードインターバルを除去するガードインターバル除去部、９はガードインターバル除去部８によりガードインターバルが除去されたマルチキャリア信号から各サブキャリアの情報シンボルを生成するマルチキャリア変換部、１０はマルチキャリア変換部９により生成されたサブキャリアの情報シンボルにキャリア間のウエイトを乗算するキャリアウエイト乗算部、１１はキャリアウエイト乗算部１０の乗算結果を合成してデータ１２を再生する合成部、１２は合成部１１により再生されたデータである。
【０００５】
次に動作について説明する。
まず、複製部２は、複数のサブキャリアを用いて、送信対象のデータ１を送信するため、送信対象のデータ１を複製して、同一内容の並列データを出力する。
符号乗算部３は、複製部２から並列データを受けると、その並列データに拡散符号を乗算する。
【０００６】
マルチキャリア変換部４は、符号乗算部３が並列データに拡散符号を乗算すると、乗算後の並列データに伝送キャリアを付加してマルチキャリア信号を生成する。
ガードインターバル挿入部５は、マルチキャリア変換部４がマルチキャリア信号を生成すると、そのマルチキャリア信号にガードインターバルを挿入し、そのマルチキャリア信号を周波数変換して送信アンテナ６に出力する。
【０００７】
このようにマルチキャリアＣＤＭＡでは、個々のデータ１は複数のサブキャリアによって伝送されるが、１つのデータ１を伝送するサブキャリアの組を「セグメント」と呼ぶことにすると、伝送帯域が複数のセグメントによって構成されて、複数のデータ１が同時に伝送される。
図１２は周波数帯域で見たサブキャリアとセグメントの関係を示しており、１つのデータ１はセグメント単位で拡散され、複数のデータ１が異なるセグメントで伝送される。
【０００８】
ガードインターバル除去部８は、受信アンテナ７がマルチキャリア信号を受信すると、そのマルチキャリア信号の周波数を変換して、そのマルチキャリア信号からガードインターバルを除去する。
マルチキャリア変換部９は、ガードインターバル除去部８がマルチキャリア信号からガードインターバルを除去すると、そのマルチキャリア信号から各サブキャリアの情報シンボルを生成する。
【０００９】
キャリアウエイト乗算部１０は、マルチキャリア変換部９が各サブキャリアの情報シンボルを生成すると、その情報シンボルにキャリア間のウエイトを乗算する。
合成部１１は、キャリアウエイト乗算部１０の乗算結果を合成してデータ１２を再生する。
【００１０】
ここで、従来のマルチキャリアＣＤＭＡでは（非特許文献１を参照）、全てのセグメントを用いてデータを伝送する。しかし、セグメントによっては、フェージング環境が悪く、劣悪な伝搬特性となる場合もあるため、信号品質が悪くなることがあった。
【００１１】
これに対して最近では（非特許文献２を参照）、フェージング状態の良いセグメントのみを用いてデータの伝送を行う方式がある。
図１３は本方式の適用例を示しており、（ａ）に示すように、セグメントによってフェージングの状態変化が異なる。従って、同一送信電力でデータを送信する場合でも、データの受信レベルがセグメントによって変化する。
本方式では、（ｂ）に示すように、フェージング状態の良いセグメントを用いてデータの伝送を行うので、高品質なデータの伝送を行うことができる。
【００１２】
なお、送信局がフェージング状態を認識するには、図１４に示すように、送信局がパイロット信号を受信局に送信し、受信局がセグメント毎のパイロット信号の受信レベルを測定する。受信局は受信レベルの測定結果から信号対干渉雑音比（ＳＩＮＲ：Ｓｉｇｎａｌ  ｔｏ  ｉｎｔｅｒｆｅｒｅｎｃｅ  ｐｌｕｓ  ｎｏｉｓｅ  ｒａｔｉｏ）を求め、そのＳＩＮＲを送信局に通知する。
【００１３】
【非特許文献１】“下りリンクブロードバンドパケットＯＦＣＤＭにおけるＱ0Ｓを考慮したチャネル符号化の検討”，ＲＣＳ２００１−１８１，Ｎｏｖ．２００１．
【非特許文献２】“高効率データ通信用ＭＣ−ＣＤＭＡ方式の一検討”，ＲＣＳ２０００−２６１，Ｍａｒｃｈ，２００１．
【発明の開示】
【発明が解決しようとする課題】
【００１４】
従来の無線伝送装置は以上のように構成されているので、フェージング状態の良いセグメントを用いて高品質なデータの伝送を実現することができるが、１セグメント当り１つのデータしか伝送することができず、データの伝送効率を高めることができない課題があった。
【００１５】
この発明は上記のような課題を解決するためになされたもので、データ品質の劣化を招くことなく、データの伝送効率を高めることができる無線伝送装置を得ることを目的とする。
【課題を解決するための手段】
【００１６】
この発明に係る無線通信方法は、受信機との間で所定数のサブキャリアからなるサブキャリア群を複数用いて無線通信が可能な送信機における無線通信方法であって、当該送信機と上記受信機との間の各サブキャリア群の伝搬状態に応じて、上記受信機へのデータ送信に使用するサブキャリア群を選択するステップと、上記伝搬状態に応じて、上記選択したサブキャリア群で送信するデータ量を決定するステップを備えるようにしたものである。
【発明の効果】
【００１７】
この発明によれば、受信機との間で所定数のサブキャリアからなるサブキャリア群を複数用いて無線通信が可能な送信機における無線通信方法であって、当該送信機と上記受信機との間の各サブキャリア群の伝搬状態に応じて、上記受信機へのデータ送信に使用するサブキャリア群を選択するステップと、上記伝搬状態に応じて、上記選択したサブキャリア群で送信するデータ量を決定するステップを備えるように構成したので、データ品質の劣化を招くことなく、データの伝送効率を高めることができる効果がある。
【発明を実施するための最良の形態】
【００１８】
実施の形態１．
図１はこの発明の実施の形態１による無線伝送装置を示す構成図であり、図において、２１は受信局から各セグメント（サブキャリア）の伝搬状態を示す伝搬情報を受信する伝搬情報受信部（監視手段）、２２は伝搬情報受信部２１により受信された伝搬情報を参照して、信号の伝送に使用する１以上のセグメントを選択するセグメント・符号選定部（選択手段）、２３は送信対象のデータ、２４はデータ２３を複製して、複数の送信データ（以下、並列データという）を出力する複製部、２５は複製部２４から出力された並列データに拡散符号を乗算する符号乗算部、２６は符号乗算部２５により拡散符号が乗算された並列データに伝送キャリアを付加してマルチキャリア信号（多重化信号）を生成するマルチキャリア変換部である。なお、複製部２４、符号乗算部２５及びマルチキャリア変換部２６から多重化手段が構成されている。
【００１９】
２７はマルチキャリア変換部２６により生成されたマルチキャリア信号にガードインターバルを挿入し、そのマルチキャリア信号の周波数をセグメント・符号選定部２２により選択されたセグメントの周波数に変換して送信アンテナ２８に出力するガードインターバル挿入部、２８は送信アンテナである。なお、ガードインターバル挿入部２７及び送信アンテナ２８から送信手段が構成されている。
【００２０】
２９は受信アンテナ、３０は受信アンテナ２９により受信されたマルチキャリア信号の周波数を変換して、そのマルチキャリア信号からガードインターバルを除去するガードインターバル除去部、３１はガードインターバル除去部３０によりガードインターバルが除去されたマルチキャリア信号から各セグメントの情報シンボルを生成するマルチキャリア変換部、３２はマルチキャリア変換部３１により生成されたセグメントの情報シンボルにキャリア間のウエイトを乗算するキャリアウエイト乗算部、３３はキャリアウエイト乗算部３２の乗算結果を合成してデータ３４を再生する合成部、３４は合成部３３により再生されたデータである。
【００２１】
次に動作について説明する。
送信局が複数のデータ２３をユーザ（１）の受信局に送信する場合、まず、送信局の伝搬情報受信部２１が、ユーザ（１）の受信局から各セグメントの伝搬状態を示す伝搬情報を受信する。
具体的には、送信局がデータ２３を送信する際、伝搬情報受信部２１がパイロット信号を受信局に送信する。そして、受信局がセグメント毎のパイロット信号の受信レベルを測定し、その測定結果を伝搬情報として送信局に通知する方法が考えられる。
あるいは、送受信局間の双方向通信で同一の周波数を用いるＴＤＤ（Ｔｉｍｅ  Ｄｉｖｉｓｉｏｎ  Ｄｕｐｌｅｘ）方式が採用される場合、逆方向通信における伝搬路特性を測定することにより、送信局が伝搬情報を得ることも可能である。
【００２２】
送信局のセグメント・符号選定部２２は、伝搬情報受信部２１が伝搬情報を受信すると、その伝搬情報を参照して、データ２３の伝送に使用する１以上のセグメントを選択する。
即ち、送信局のセグメント・符号選定部２２は、複数のセグメントの中から伝搬状態が良好なセグメントを選択するが、図２（ａ）の例では、セグメント（１）とセグメント（Ｑ−２）の伝搬状態が良好であるため、セグメント（１）とセグメント（Ｑ−２）を選択する。なお、セグメントの具体的な選択方法は後述する。
【００２３】
複数の複製部２４は、複数のデータ２３をユーザ（１）の受信局に送信するため、送信対象のデータ２３を複製して並列データを出力する。
符号乗算部２５は、複製部２４から並列データを受けると、その並列データに拡散符号を乗算する。なお、各並列データには、相互に異なる拡散符号が乗算される。
【００２４】
マルチキャリア変換部２６は、符号乗算部２５が並列データに拡散符号を乗算すると、乗算後の並列データに伝送キャリアを付加してマルチキャリア信号を生成する。
ガードインターバル挿入部２７は、マルチキャリア変換部２６がマルチキャリア信号を生成すると、そのマルチキャリア信号にガードインターバルを挿入し、そのマルチキャリア信号の周波数をセグメント・符号選定部２２により選択されたセグメントの周波数に変換して送信アンテナ２８に出力する。
【００２５】
図２（ｂ）の例では、伝搬状態が良好であるセグメント（１）又はセグメント（Ｑ−２）の周波数にマルチキャリア信号の周波数を変換している。また、図２（ｂ）の例では、２個のデータ２３のマルチキャリア信号をセグメント（１）の周波数に変換し、４個のデータ２３のマルチキャリア信号をセグメント（Ｑ−２）の周波数に変換している。この理由は、より伝搬状態が良好なセグメントに多くのデータ２３を割り当てる観点から、セグメント（Ｑ−２）の伝搬状態の方がセグメント（１）の伝搬状態より良いため、セグメント（Ｑ−２）に多くのデータ２３を割り当てるようにしている。
なお、伝搬状態が良好でない他のセグメントには、１つのデータ２３も割り当てられていないが、必ずしも割当数が零である必要はない。
【００２６】
ユーザ（１）の受信局のガードインターバル除去部３０は、受信アンテナ２９がマルチキャリア信号を受信すると、そのマルチキャリア信号の周波数を変換して、そのマルチキャリア信号からガードインターバルを除去する。
マルチキャリア変換部３１は、ガードインターバル除去部３０がマルチキャリア信号からガードインターバルを除去すると、そのマルチキャリア信号から各セグメントの情報シンボルを生成する。
【００２７】
キャリアウエイト乗算部３２は、マルチキャリア変換部３１が各セグメントの情報シンボルを生成すると、その情報シンボルにキャリア間のウエイトを乗算する。
合成部３３は、キャリアウエイト乗算部３２の乗算結果を合成してデータ３４を再生する。
これにより、ユーザ（１）の受信局は、送信局から送信された複数のデータ２３を取得することができる。
【００２８】
以上で明らかなように、この実施の形態１によれば、複数のセグメントの伝搬状態を監視して、複数のデータ２３の伝送に使用するセグメントを選択し、その選択したセグメントを使用して、マルチキャリア変換部２６により生成されたマルチキャリア信号を送信するように構成したので、データ品質の劣化を招くことなく、データの伝送効率を高めることができる効果を奏する。
【００２９】
実施の形態２．
上記実施の形態１では、各並列データに異なる拡散符号を乗算して、各並列データを１パケットとして取り扱うものについて示したが、マルチキャリア変換部２６により生成されたマルチキャリア信号を１パケットとして取り扱うようにしてもよい。
これにより、上記実施の形態１よりも、パケットのヘッダ数を減らすことができるため、データの伝送効率を更に高めることができる。
【００３０】
実施の形態３．
上記実施の形態１では、送信局が複数のデータ２３をユーザ（１）の受信局に送信するものについて示したが、送信先が異なるデータ２３を符号多重してもよい。
即ち、送信局の伝搬情報受信部２１が、図３（ａ）に示すように、ユーザ（１）〜（Ｋ）の受信局から各セグメントの伝搬状態を示す伝搬情報を受信する。
送信局のセグメント・符号選定部２２は、伝搬情報受信部２１がユーザ（１）〜（Ｋ）の受信局から伝搬情報を受信すると、各ユーザ毎に、当該ユーザの伝搬情報を参照して、データ２３の伝送に使用する１以上のセグメントを選択する。
以降、上記実施の形態１と同様であるため説明を省略するが、この実施の形態３によれば、図３（ｂ）に示すように、送信先が異なるデータであっても、伝搬状態が良好であれば、同一のセグメントを使用して伝送される。
【００３１】
実施の形態４．
上記実施の形態１では、セグメントの具体的な選択方法を説明していないが、伝搬状態が基準の状態を上回るセグメントの中で、伝搬状態が最良のセグメントから順番にデータ２３の伝送に使用するセグメントとして選択するようにしてもよい。
具体的には、図６に示すようなスケジューリングアルゴリズムを実施してセグメントを選択する。
【００３２】
送信局は、図４に示すように、先頭にプリアンブル（プリアンブルには送信先のアドレス等が含まれている）が配置され、その後にデータが配置されている１フレームの伝送と同時に、パイロット信号を送信する。
各ユーザの受信局は、セグメント毎のパイロット信号の受信レベルを測定し、その受信レベルの測定結果から信号対干渉雑音比（ＳＩＮＲ：Ｓｉｇｎａｌ  ｔｏ  ｉｎｔｅｒｆｅｒｅｎｃｅ  ｐｌｕｓ  ｎｏｉｓｅ  ｒａｔｉｏ）を推定し、そのＳＩＮＲ推定値を伝搬情報として送信局に通知する。
送信局のセグメント・符号選定部２２は、伝搬情報受信部２１が各ユーザの受信局からＳＩＮＲ推定値を受信すると、例えば、図６のスケジューリングアルゴリズムを実施してセグメントを選択する。
【００３３】
即ち、セグメント・符号選定部２２は、図５に示すように、伝搬情報受信部２１により受信されたＳＩＮＲ推定値を参照して、全ユーザ・全セグメントに対応するＳＩＮＲテーブルを作成する（ステップＳＴ１）。なお、ＳＩＮＲテーブルにおける各要素γK,qは、ユーザＫ・セグメントｑのＳＩＮＲ推定値である。
ただし、送信パケットを有しないユーザに関するＳＩＮＲ推定値をＳＩＮＲテーブルから除外し、また、パケットの多重数が既に最大多重数Ｇに達しているセグメントがあれば、そのセグメントに関するＳＩＮＲ推定値をＳＩＮＲテーブルから除外する（ステップＳＴ２）。
【００３４】
セグメント・符号選定部２２は、ＳＩＮＲテーブルの要素γK,qが残っている場合、ＳＩＮＲテーブルの中で、最も高いＳＩＮＲ推定値γmaxを検索する（ステップＳＴ３，ＳＴ４）。
そして、セグメント・符号選定部２２は、最も高いＳＩＮＲ推定値γmaxが基準状態を示すＳＩＮＲ閾値γthより大きい場合には、そのＳＩＮＲ推定値γmaxに対応するユーザＫの１パケットを、そのＳＩＮＲ推定値γmaxに対応するセグメントｑに割り当てるようにする（ステップＳＴ５，ＳＴ６）。
なお、そのＳＩＮＲ推定値γmaxがＳＩＮＲ閾値γthより小さい場合には、セグメントの選択処理を終了する。
この実施の形態４によれば、ＳＩＮＲ推定値が高いセグメントが優先的に選択されるので、伝送品質の高いセグメントを効率的に選択することができる。
【００３５】
実施の形態５．
上記実施の形態４では、特に言及していないが、パケットの許容遅延量を考慮して、パケットの伝送に使用するサブキャリアを選択するようにしてもよい。
具体的には次の通りである。
有線系から基地局（送信局）に到達したパケットは、許容遅延量に応じて送信バッファに分類される。図７は基地局のバッファ構成を示しており、基地局では各ユーザ・許容遅延量毎にバッファを用意している。
【００３６】
次のフレームで必ず送信する必要のあるユーザＫへのパケットは、ユーザＫのＭＴＤ（Ｍａｘｉｍｕｍ  Ｔｏｌｅｒａｂｌｅ  Ｄｅｌａｙ）が“１”のＦＩＦＯバッファに蓄積され、ｒ番目のフレームまでに送信する必要のあるユーザＫへのパケットは、ユーザＫのＭＴＤ（ｒ）のＦＩＦＯバッファに蓄積される。
また、１フレーム分のスケジューリングが完了した段階で、ＭＴＤ（１）に残ったパケットは全て廃棄され、ＭＴＤ＝２以上のバッファはＭＴＤの値を１つ減らすようにする。このような操作により、許容遅延量が少ない順に各ユーザのパケットが分類される。
次に、送信局である基地局は、セル内のユーザからＳＩＮＲ推定値の報告を受けた後、許容遅延量を考慮したスケジューリングアルゴリズムを実施して（図８を参照）、パケットを送信するセグメントを選択する。
【００３７】
即ち、送信局のセグメント・符号選定部２２は、まず、ＭＴＤの初期値を“ｒ”に設定し（ステップＳＴ１１）、伝搬情報受信部２１により受信されたＳＩＮＲ推定値を参照して、全ユーザ・全セグメントに対応するＳＩＮＲテーブルを作成する（ステップＳＴ１２）。
ただし、ＭＴＤ（ｒ）の送信パケットを有しないユーザに関するＳＩＮＲ推定値をＳＩＮＲテーブルから除外し、また、パケットの多重数が既に最大多重数Ｇに達しているセグメントがあれば、そのセグメントに関するＳＩＮＲ推定値をＳＩＮＲテーブルから除外する（ステップＳＴ１３）。
【００３８】
セグメント・符号選定部２２は、ＳＩＮＲテーブルの要素γK,qが残っている場合、ＳＩＮＲテーブルの中で、最も高いＳＩＮＲ推定値γmaxを検索する（ステップＳＴ１４，ＳＴ１５）。
そして、セグメント・符号選定部２２は、最も高いＳＩＮＲ推定値γmaxが基準状態を示すＳＩＮＲ閾値γthより大きい場合には、そのＳＩＮＲ推定値γmaxに対応するユーザＫの１パケットを、そのＳＩＮＲ推定値γmaxに対応するセグメントｑに割り当てるようにする（ステップＳＴ１６，ＳＴ１８）。
なお、そのＳＩＮＲ推定値γmaxがＳＩＮＲ閾値γthより小さい場合や、ＳＩＮＲテーブルの要素γK,qが残っていない場合は、ＭＴＤの値ｒをインクリメントして、ステップＳＴ１２の処理に戻る。
この実施の形態５によれば、伝送品質の高いセグメントを更に効率的に選択することができる。
【００３９】
実施の形態６．
上記実施の形態４等では、受信局が各セグメントのＳＩＮＲ推定値を送信局に通知するものについて示したが、そのＳＩＮＲ推定値の通知に要する情報量をなるべく少なくすることが重要な課題となる。
そこで、この実施の形態６では、全てのセグメントのＳＩＮＲ推定値を通知するのではなく、ＳＩＮＲ推定値が所定の閾値より高いセグメントを検索し、そのセグメントのＳＩＮＲ推定値のみを送信局に通知するようにする。
【００４０】
図９はＳＩＮＲ推定値の通知用フォーマットの一例であり、この通知用フォーマットでは、セグメント番号と当該セグメントに対応するＳＩＮＲ推定値を対にして通知する。
これにより、ＳＩＮＲ推定値の通知に要する情報量を削減することができる。
【００４１】
実施の形態７．
上記実施の形態６では、ＳＩＮＲ推定値が所定の閾値より高いセグメントを検索し、そのセグメントのＳＩＮＲ推定値のみを送信局に通知するものについて示したが、受信局が各セグメントのＳＩＮＲ推定値を求めると、そのＳＩＮＲ推定値が属するレンジ（ＳＩＮＲ推定値が属するＳＩＮＲの範囲）を特定し、そのレンジを送信局に通知するようにしてもよい。
【００４２】
各セグメントのＳＩＮＲ推定値を正確に伝達するには、そのＳＩＮＲ推定値の情報ビット数を増やす必要があるが、その場合、ＳＩＮＲ推定値の通知に要する情報量が増加する不具合が生じる。
そこで、この実施の形態７では、受信局が各セグメントのＳＩＮＲ推定値を求めると、図１０に示すような対応表を参照して、そのＳＩＮＲ推定値が属するレンジを特定し、そのレンジのレンジ情報を送信局に通知する。
例えば、ＳＩＮＲ推定値が１ｄＢ以下の場合には、「０００」のレンジ情報を送信し、ＳＩＮＲ推定値が１〜２ｄＢの場合には「００１」のレンジ情報を送信する。
これにより、ＳＩＮＲ推定値の通知に要する情報量を削減することができる。
【００４３】
実施の形態８．
上記実施の形態１〜７では、受信局における自局宛のパケットの取得方法については特に言及していないが、セグメントを使用して送信されたパケットに含まれているアドレスを確認して、自局宛のパケットを取得するようにすればよい。
即ち、スケジューリング利用時には時間毎に伝搬環境も変化し、希望信号が割り当てられるセグメントも時間的に変化する。従って、自局当てのパケットが使用されるセグメントや符号を受信局が知る必要がある。
【００４４】
この実施の形態８では、受信局がフレーム内の全てのパケットに含まれているアドレスを自局のアドレスと照合し、アドレスが一致する場合、当該パケットを自局宛のパケットであると認識して取得するようにする。
これにより、スケジューリング利用時の利用セグメントが時間的に変化する環境化でも、パケットの受信が可能になる。
【００４５】
実施の形態９．
上記実施の形態８では、フレーム内の全てのパケットに含まれているアドレスを自局のアドレスと照合するものについて示したが、上記実施の形態６のように、伝搬状態が良好なセグメントのＳＩＮＲ推定値のみを送信局に通知するような場合には、伝搬状態が良好なセグメント以外のセグメントを使用してパケットを送信されることはないので、ＳＩＮＲ推定値を通知したセグメントを使用して送信されたパケットのアドレスのみを照合するようにしてもよい。
これにより、自局宛のパケットの検索に要する時間を短縮することができる。
【００４６】
実施の形態１０．
上記実施の形態１〜９では、複数のセグメントの伝搬状態を監視して、複数のデータ２３の伝送に使用するセグメントを選択し、その選択したセグメントを使用して、マルチキャリア変換部２６により生成されたマルチキャリア信号を送信するものについて示したが、複数のセグメントの伝搬状態を監視して、複数のセグメントに適用する変調方式を決定し、その変調方式でマルチキャリア変換部２６により生成されたマルチキャリア信号を変調して送信するようにしてもよい。
【００４７】
即ち、決定手段を構成するセグメント・符号選定部２２は、伝搬情報受信部２１が各セグメントの伝搬情報を受信すると、各セグメントの伝搬情報を参照して、各セグメントの伝搬状態を把握し、例えば、伝搬状態が良好なセグメントでは、ＱＰＳＫ，１６ＱＡＭ，２５６ＱＡＭなどの多値数の大きい変調方式を利用する。
一方、伝搬状態が悪いセグメントでは、ＢＰＳＫ，ＱＰＳＫなどの多値数の低い変調方式を利用する。
このように、伝搬状態に応じて変調方式を変更することにより、高効率な伝送を行うことが可能となる。なお、同一のセグメントにおいても、多重する信号によって変調方式が異なっていてもよい。
【００４８】
なお、この実施の形態１０では、複数のセグメントの伝搬状態を監視して、複数のセグメントに適用する変調方式を決定するものについて示したが、上記実施の形態１〜９のようなセグメントの選択処理を同時に実施するようにしてもよい。
【図面の簡単な説明】
【００４９】
【図１】この発明の実施の形態１による無線伝送装置を示す構成図である。
【図２】セグメントの選択処理を説明する説明図である。
【図３】セグメントの選択処理を説明する説明図である。
【図４】フレーム構成を示す説明図である。
【図５】ＳＩＮＲテーブルを示す説明図である。
【図６】スケジューリングアルゴリズムを示すフローチャートである。
【図７】基地局のバッファ構成を示す説明図である。
【図８】スケジューリングアルゴリズムを示すフローチャートである。
【図９】ＳＩＮＲ推定値の通知用フォーマットを示す説明図である。
【図１０】ＳＩＮＲ推定値とレンジ情報の対応関係を示す説明図である。
【図１１】従来の無線伝送装置を示す構成図である。
【図１２】周波数帯域で見たサブキャリアとセグメントの関係を示す説明図である。
【図１３】フェージングの状態変化等を示す説明図である。
【図１４】フェージング状態の認識処理を示す説明図である。
【符号の説明】
【００５０】
２１  伝搬情報受信部（監視手段）、２２  セグメント・符号選定部（選択手段、決定手段）、２３  データ、２４  複製部（多重化手段）、２５  符号乗算部（多重化手段）、２６  マルチキャリア変換部（多重化手段）、２７  ガードインターバル挿入部（送信手段）、２８  送信アンテナ（送信手段）、２９  受信アンテナ、３０  ガードインターバル除去部、３１  マルチキャリア変換部、３２  キャリアウエイト乗算部、３３  合成部、３４  データ。
【図１】
2006014372.tif 000003
【図２】
2006014372.tif 000004
【図３】
2006014372.tif 000005
【図４】
2006014372.tif 000006
【図５】
2006014372.tif 000007
【図６】
2006014372.tif 000008
【図７】
2006014372.tif 000009
【図８】
2006014372.tif 000010
【図９】
2006014372.tif 000011
【図１０】
2006014372.tif 000012
【図１１】
2006014372.tif 000013
【図１２】
2006014372.tif 000014
【図１３】
2006014372.tif 000015
【図１４】
2006014372.tif 000016